(57)【特許請求の範囲】
【請求項１】
一定の電位にありかつばね圧の作用下にあって、軸方向に限定されかつ電位に対し絶縁された範囲（２）を有するスイッチ杆体（１）と、このスイッチ杆体（１）を垂直に指向しかつこれに弾性的に接する数個の電気接点ピン（３；６、７、８）と、前記スイッチ杆体（１）の移動軌道に対し垂直に向きそして弾性的な機械的ストッパ（９、１０、１１）とを備え、これらストッパが休止状態にて前記移動軌道の１部を遮断し、前記電気接点ピン（６、７、８）が異なる面内に配置されかつ圧力スイッチの初期位置にて絶縁された範囲（２）に接し、機械的ストッパ（９、１０、１１）が同じく異なる面内に配置され、スイッチ杆体（１）の移動方向におけるそれらの間隔が電気接点ピン（６、７、８）の間隔に対応し、そして、第１の機械的ストッパ（９）に対するスイッチ杆体（１）の当接時、第１の電気接点ピン（６）が絶縁された範囲（２）を離れてスイッチ杆体（１）の電位と接続されているように、第１の機械的ストッパ（９）がスイッチ杆体（１）に対して配置されていることを特徴とする、電子装置用多段式圧力スイッチ。
【請求項２】
機械的ストッパ（９、１０、１１）を指向するスイッチ杆体（１）の端部が円錐形に構成されていることを特徴とする、請求項１に記載の圧力スイッチ。
【請求項３】
電気接点ピン（３；６、７、８）が丸くされた尖端部を備えていることを特徴とする、請求項１に記載の圧力スイッチ。
【請求項４】
機械的ストッパ（９、１０、１１）が丸くされた尖端部を備えていることを特徴とする、請求項１に記載の圧力スイッチ。
【請求項５】
機械的ストッパ（９、１０、１１）のばね力が調整可能であることを特徴とする、請求項１に記載の圧力スイッチ。
【請求項６】
順次つづく機械的ストッパ（９、１０、１１）のばね力が次第に上昇することを特徴とする、請求項５に記載の圧力スイッチ。
【請求項７】
電気接点ピン（３；６、７、８）が互いに半径方向にずれて配置されていることを特徴とする、請求項１に記載の圧力スイッチ。
【請求項８】
機械的ストッパ（９、１０、１１）が互いに半径方向にずれて配置されていることを特徴とする、請求項１に記載の圧力スイッチ。
【請求項９】
半径方向の前記のずれが対照的であることを特徴とする、請求項７または請求項８に記載の圧力スイッチ。
【請求項１０】
最後の弾性的な機械的ストッパの後に固定の端部ストッパ（５）が配置されていることを特徴とする、請求項１に記載の圧力スイッチ。
【請求項１１】
電位として、別個の電気接点ピン（３）に接続された装置のアース電位が選択されていることを特徴とする、請求項１に記載の圧力スイッチ。
【発明の詳細な説明】
【０００１】
【発明の属する技術分野】
本発明は、電子装置用多段式圧力スイッチに関する。
【０００２】
【従来の技術】
圧力スイッチは、開閉状態が、ストッパにより生成される対圧により感知可能であることが特徴である。圧力点を越えた後、スイッチは別のスイッチ位置に持ち来され、この位置は再び感知可能の対圧により示される。このようなスイッチは、例えば写真カメラに挿着される。第１のスイッチ位置にて、電子駆動兼表示回路の電流の流れが生成され、つづいて露光測定が作動され、場合によっては測定値が記憶され、最後にシャッターが作動される。
【０００３】
周知のスイッチ装置は、引張ばねの力に抗して押圧され得るスイッチ杆体よりなる。スイッチ杆体には、互いに間隔を置いて調整可能な２つのピンが取付けられている。各ピンには、弾性的な電気接点が付設されている。スイッチ杆体が移動するとき、まず１つのピンが１つの接点に来て、この接点をアース電位にする。スイッチ杆体がさらに移動するとき、該接点はそのばね力に抗して外されるので、スイッチ杆体における高くなった押圧力が感知可能となり、それから第２のピンが別の接点と接合するに至る。スイッチ杆体がさらに移動すると両接点はさらに外され、スイッチ杆体に付加的な対圧が生成される。電気接点の実現可能な機械的ばね力は、スイッチ杆体の摩擦力およびその復元力と適合させねばならない。実際には、ピンのストッパは第２の接点において感知可能性が弱い。通常の駆動条件では、その他の対圧変化がもはや識別できない。従って、第３のスイッチ位置は固定の端部ストッパにより限定され、そして電気回路はスイッチ杆体に近接したすべり接点により作動され、そのスイッチ開閉は感知不可能である。
【０００４】
スイッチ装置は、スイッチ杆体の案内、ピンの調整およびスイッチ接点の組立てのために費用の掛る機械的構造を必要とする。すべての部品は、カメラケーシング内で別々に組立てられ、そして相互の位置合わせを行わなければならない。そのため、スイッチ要素の損傷時の修理も非常に高価となる。
【０００５】
ドイツ特許出願公開第４，３０４，３０４号公報より、スイッチ杆体がドーム形膜上に押圧される圧力スイッチが周知である。該膜は、リング状のスイッチ接点と中央に位置する接点面とを含むスイッチ板に対置する。スイッチ杆体を押下げると、まずドーム形膜の縁部がリング状のスイッチ接点と接して感知良好な対圧を生成する。さらに押下げると、膜のドームが押し込まれ、中央の接点面に最終当接をするが、これは同じく感知確実である。この構造では、２つ以上のスイッチ位置は達成できない。
【０００６】
【発明が解決しようとする課題】
本発明の課題は、感知確実な異なるスイッチ位置と非常にコンパクトで特に保守の好都合な構造をもった多段式スイッチを可能にする圧力スイッチを提供することである。
【０００７】
【課題を解決するための手段】
前記の課題は、請求項１に記載の構成により解決される。他の有利な構成は、従属請求項に記載されている。
【０００８】
【発明の作用と効果】
スイッチ杆体を機械的ストッパの方向に移動することにより、電気接点ピンが、順次、スイッチ杆体の電位上におかれる。電気接点ピンが半径対称にずれて配置されているため、異なる面における細かい段階位置が可能となり、しかも電気接点ピン自体は小型化する必要がない。それによって、頑丈で構成高さが小さくかつスイッチ距離の短い構造が可能となる。スイッチ杆体の前端部は、順次、まずストッパと接し、ついでこれを移動軌道から押し出す。その後、スイッチ杆体に作用する摩擦力はなお小さいので、次のストッパは再び感知確実となる。さらに、他のストッパのプリロード力をそれぞれ高めることができ、第１の圧力点を越えるとき使用者により高められた指圧に付加的に反対作用する。スイッチ杆体の前端部が円錐形に面取りされているので、機械的ストッパが球状であるのと相俟って、感知確実な接触と移動軌道からの弱い抜け出し圧力が可能となり、従って指圧を短時間高め又小さくする必要はなく、ほぼ一様のままでよい。これは、スイッチ段階の識別可能性の手助けとなる。スイッチ段階間のスイッチ距離は、構成的に制約されるスイッチ杆体の行程により与えられるが、この行程はそれぞれの弾性的なストッパを移動軌道から押し出すために必要である。従って、スイッチ杆体の面取りと球形ストッパの半径とを同調させることにより、圧力スイッチの構成高さならびに確実な操作性を最適にすることができる。圧力スイッチを構成部品として組立て、その圧力点とスイッチ状態を、機械、例えばカメラの外で検査し調整することができる。機能障害の場合、電気接続の解除後、簡単に交換することが可能である。
【０００９】
【発明の実施の形態】
以下に、本発明の実施例を図面により説明する。
図１における本発明による多段式圧力スイッチの原理図には、電気的に絶縁されたリング状範囲２を有するスイッチ杆体１が示されている。このスイッチ杆体は、弾性的に接する電気接点ピン３を介して供給される一定の電位上にある。通常、アース電位が選択される。スイッチ杆体１は、端部ストッパ５に支持されるばね４を介して、休止位置に対する圧力下にある。スイッチ杆体１の下端部は円錐状に面とりされている。
【００１０】
絶縁性の範囲２には、別の３つの電気接点ピン６、７、８が尖端部を介して弾性的に接している。これらの接点ピンは、互いに間隔を置いて異なる面内に位置する。
スイッチ杆体１の移動方向にして端部ストッパ５の方向には、側部からスイッチ杆体１の移動軌道の部分内へ達する３つの弾性的なストッパ９、１０、１１が設けられている。各ストッパが位置する異なる面は、電気接点ピンの対応する面と同じ間隔を有する。第１のストッパ９の面は、スイッチ杆体１がこのストッパに当接するとき、電気接点ピン６が絶縁性の範囲２を離れるように選択されている。
【００１１】
図２は、スイッチ杆体１が最下側のストッパ位置にあるのを示す。このとき、すべての電気接点ピン６、７、８はスイッチ杆体に接し、その電位に接続されている。両方のストッパ９と１０は、それらの休止位置から押し出されている。スイッチ杆体１の円錐状の面とり端部はストッパ１１に接し、端部ストッパ５までさらに押し下げるとき、ストッパ１１を同じく押し戻す。定置の端部ストッパ５により、最後のスイッチ位置を越えたことを使用者に確実に示すことになる。従って、最後の弾性的なストッパを略することも勿論可能である。また原理図から、図示の３つのスイッチ位置を越えて、それ以上の電気接点ピンおよびストッパを設けることが可能である点が判る。スイッチ杆体１の前端部を平らに面とりすることにより、およびスイッチ杆体１の周りにおける電気接点ピンおよびストッパの配置を半径方向にずらすことにより、スイッチ距離の短い非常にコンパクトな構成が得られる。
【００１２】
図３ないし図６に示す実施例の断面図では、図６の断面平面が図３ないし図５の断面平面に対し９０°回転されている。
非導電性合成物質よりなるケーシング１２内に、スイッチ杆体１がばね４の圧力に抗して摺動可能に装着されている。ケーシング１２は、スイッチ杆体１用の上部ストッパ１３を有する。スイッチ杆体１の上端部は、ケーシング１２の凹み内に位置する。この凹みは、圧力スイッチの組立時におけるスイッチ杆体１の機械的損傷を防止し、そしてカメラケーシング内におけるスイッチの位置決めを容易にするものである。ばね４は下側の端部ストッパ５に支持され、スイッチ杆体１を休止位置用のストッパ１３に対し押圧する。スイッチ杆体１は電気的に絶縁性の範囲２を有し、これに電気接点ピン６、７、８が尖端部を介して接している。電気接点ピン８は、９０°回転した断面平面内に位置するので、図６にのみ見ることができる。同じことが、電位を供給する電気接点ピン３にも言える。
【００１３】
電気接点ピン６、７、８はスイッチ杆体１に接する金属球体よりなり、これは金属製ばね１５の作用下にケーシング１２の孔内で保持されている。この孔は、ケーシングにねじ込まれたハンダカバー体１６により閉止され、これにはばねも支持されているので、通しの電気接点が生成されている。
【００１４】
図４においては、スイッチ杆体１が第１の機械的ストッパ９に接し、そして電気接点ピン６が絶縁性の範囲を離れている。ストッパ１０は、スイッチ杆体１の移動軌道内になお露出して入り込んでいる。ストッパ９、１０は、球形頂部と比較的大きな径の底面とを有する円筒状ピンよりなる。ストッパ１０の休止位置では、該底面はケーシング１２内の孔段部に位置する。該底面はばね１７により押圧されており、ばね１７は他側にてケーシングにねじ込まれたねじ１８に支持されている。ねじ１８をさらに回すことにより、ばね１７の張力を調節することができる。
【００１５】
図５において、スイッチ杆体１はストッパ９を孔内に押し戻し、ストッパ１０に接している。電気接点ピン７は、このとき同じく絶縁性の範囲を離れ、アース電位上にある。
【００１６】
図６において、スイッチ杆体１はストッパ１０を越えて摺動し、そのため、スイッチ杆体１が端部ストッパ５に達する前に、電気接点ピン８も絶縁性の範囲を離れる。
電気接点間のスイッチ距離ｓは、スイッチ杆体１とその休止位置の上部ストッパとの間の引き出された間隔線により表される。
【図面の簡単な説明】
【図１】  休止位置における圧力スイッチの原理図である。
【図２】  最後のスイッチ位置における圧力スイッチの原理図である。
【図３】  休止位置における実施例の断面図である。
【図４】  第１のスイッチ位置における同じ実施例の断面図である。
【図５】  第２のスイッチ位置における同じ実施例の断面図である。
【図６】  第３のスイッチ位置における同じ実施例の断面図である。
【符号の説明】
１                スイッチ杆体
２                絶縁性の範囲
３；６、７、８    電気接点ピン
５                端部ストッパ
９、１０、１１    機械的ストッパ
【図１】
0003789208.tif 000002
【図２】
0003789208.tif 000003
【図３】
0003789208.tif 000004
【図４】
0003789208.tif 000005
【図５】
0003789208.tif 000006
【図６】
0003789208.tif 000007